(57)【特許請求の範囲】
【請求項１】
開閉する扉又は引き出しを備えた収納装置本体に設けられ、閉塞時の扉又は引き出しを振動時に開放不能にロックする振動感知ロック装置であって、
収納装置本体に取り付けられるロック装置本体と、
扉又は引き出しに取り付けられる係止体とからなり、
ロック装置本体はケースを有し、
ケースの前部には、扉又は引き出しに取り付けられた前記係止体を挿入する開口が形成され、
ケースの内部には、ケースの開口からケース内に挿入した前記係止体の扉又は引き出しの開閉に伴う動きによって、前後方向に摺動する摺動部材が設けられ、
摺動部材には、摺動部材が後方に摺動すると係止体を係止する係止位置に移動し、摺動部材が前方に摺動すると係止体を係止しない非係止位置に移動する係止部材が設けられ、
ケースには、非振動時に摺動部材の摺動を阻止しない所定位置で静止しており、振動時に所定位置から移動して摺動部材の前方への摺動を阻止し、閉塞時の扉又は引き出しを開放不能にロックする転動体が設けられ、
ケースの側面には、摺動部材が後方に摺動すると係止部材を係止体を係止する係止位置に案内し、摺動部材が前方に摺動すると係止部材を係止体を係止しない非係止位置に案内する案内部が形成されていることを特徴とする振動感知ロック装置。
【請求項２】
ケースには、転動体を所定位置まで導く傾斜面が形成されていることを特徴とする請求項１記載の振動感知ロック装置。
【請求項３】
前記摺動部材又は前記ケースには、係止部材の係止位置と非係止位置で摺動部材を位置決めする位置決め手段が設けられていることを特徴とする請求項１又は２記載の振動感知ロック装置。
【請求項４】
転動体は、摺動部材が前方に摺動している時、摺動部材に案内されて移動不能となっており、摺動部材が後方に摺動している時、摺動部材から外れて移動可能となるように構成されていることを特徴とする請求項１、２又は３記載の振動感知ロック装置。
【請求項５】
転動体は、摺動部材が前方に摺動している時、摺動部材に形成された収納凹部に収納されて移動不能となっており、摺動部材が後方に摺動している時、摺動部材の収納凹部から外れて移動可能となるように構成されていることを特徴とする請求項１、２又は３記載の振動感知ロック装置。
【請求項６】
摺動部材は、前記転動体を収容する矩形枠状に形成され、前部材と、後部材と、前部材と後部材の右側を連結する右部材と、前部材と後部材の左側を連結する左部材とからなり、
右部材と左部材の前部には、前記係止部材が設けられ、
後部材には、前記転動体を収納する前記収納凹部が形成されていることを特徴とする請求項５記載の振動感知ロック装置。
【請求項７】
前記係止体は、扉又は引き出しに取り付けられる基台と、基台にスライド可能に取り付けられた係止アームとからなり、
当該係止アームは、前記ロック装置本体のケースに形成された開口の位置に合わせて調節可能であることを特徴とする請求項１乃至６のいずれか１項に記載の振動感知ロック装置。
【発明の詳細な説明】
【技術分野】
【０００１】
本願発明は、開閉する扉又は引き出しを備えた収納装置に設けられ、地震等の振動時に、閉塞状態の扉又は引き出しをロックして開放を規制する振動感知ロック装置に関する。
【背景技術】
【０００２】
従来から存在する振動感知ロック装置は、開閉する扉又は引き出しを備えた収納装置に設けられ、地震等の振動時に、閉塞状態の扉又は引き出しをロックして開放を規制するもので、種々の構成が提案されている。例えば、収納装置本体に取り付けられるロック装置本体と、扉又は引き出しに取り付けられる係止体とからなる。ロック装置本体はケースを有し、ケースの中央にフランジを備えた係止軸が設けられている。係止軸は、非振動時においては、フランジが球体に載っているので、ケース内に没入しており、係止体を係止して扉をロックすることがないが、振動を感知すると、球体がフランジから外れてケースから突出し、係止体を係止して扉又は引き出しの開放を規制する。
【０００３】
また、別の振動感知ロック装置は、収納装置本体に取り付けられるロック装置本体と、扉又は引き出しに取り付けられる係止体とからなる。ロック装置本体はケースを有し、ケースの中央にフランジを備えた係止軸が設けられている。係止軸は、非振動時においては、ケースから突出しているが、球体がフランジから外れているので、扉の開閉に伴って係止体に摺接して上下し、係止体を係止して扉をロックすることがない。しかし、係止軸は、振動を感知すると、球体がフランジに載ってケースから突出した状態で固定され、係止体を係止して扉又は引き出しの開放を規制する（例えば、特許文献１）。
【０００４】
さらにまた、別の振動感知ロック装置は、収納装置本体に取り付けられるロック装置本体と、扉又は引き出しに取り付けられる係止体とからなる。ロック装置本体はケースを有する。ケースは、前部に開口が形成され、前後方向に摺動する摺動部材と、摺動部材を開口側に付勢する弾性部材を備えている。ケースには、摺動部材が摺接する把持アームが開閉可能に設けられている。把持アームは、摺動部材が前方に摺動すると押し開かれ、摺動部材が後方に摺動すると連動して閉じるようになっている。当該振動感知ロック装置は、収納装置本体の閉塞時の扉を振動時に開放不能にロックするものであり、非振動時には摺動部材の摺動を阻止しない位置で静止しており、振動時には所定位置から移動して摺動部材の摺動を阻止する転動体がケースに設けられている（例えば、特許文献２）。
【先行技術文献】
【特許文献】
【０００５】
【特許文献１】特開２０００−３１６６５５号公報
【特許文献２】特開２００９−２５６９２３号公報
【発明の概要】
【発明が解決しようとする課題】
【０００６】
上記従来の振動感知ロック装置は、特許文献１に開示の如く、振動（地震）時に、収納装置本体側に設けた係止軸が上下方向に移動して、扉又は引き出し側に設けた係止体を係止してロックし、閉塞した扉又は引き出しの開放を阻止するものである。そのため、従来の振動感知ロック装置は、係止軸が上下方向に移動するから高さ方向のサイズが大きくなり、狭い場所に取り付けることが困難であると共に、取り付けた場合、収納物の出し入れの障害になる場合があった。又、係止軸が下方に突出してロックされるので、地震時に開放された扉又は引き出しが閉塞方向に移動すると突出して固定された係止軸に衝撃的に当接し、係止軸及びケースを壊してしまう可能性があるという問題点があった。
【０００７】
本願出願人は、特許文献２に示すように、薄い構造で、係止軸が突出せず、しかも壊れ難い構造の地震時ロック装置を提案した。この地震時ロック装置は、上記問題点を解消したが、いわゆるプッシュラッチ式ロック装置であり、構造が複雑で、組み立てが容易ではなく、安価に製造することできなかった。
【０００８】
本願発明は、上記問題点に鑑み案出したものであって、薄く、構造が簡単で、壊れ難い構造であり、部品点数が少なく、組立が容易で安価に製造することできる振動感知ロック装置を提供することを目的とする。
【課題を解決するための手段】
【０００９】
本願請求項１に係る振動感知ロック装置は、上記目的を達成するため、開閉する扉又は引き出しを備えた収納装置本体に設けられ、閉塞時の扉又は引き出しを振動時に開放不能にロックする振動感知ロック装置であって、収納装置本体に取り付けられるロック装置本体と、扉又は引き出しに取り付けられる係止体とからなり、ロック装置本体はケースを有し、ケースの前部には、扉又は引き出しに取り付けられた前記係止体を挿入する開口が形成され、ケースの内部には、ケースの開口からケース内に挿入した前記係止体の扉又は引き出しの開閉に伴う動きによって、前後方向に摺動する摺動部材が設けられ、摺動部材には、摺動部材が後方に摺動すると係止体を係止する係止位置に移動し、摺動部材が前方に摺動すると係止体を係止しない非係止位置に移動する係止部材が設けられ、ケースには、非振動時に摺動部材の摺動を阻止しない所定位置で静止しており、振動時に所定位置から移動して摺動部材の前方への摺動を阻止し、閉塞時の扉又は引き出しを開放不能にロックする転動体が設けられ、ケースの側面には、摺動部材が後方に摺動すると係止部材を係止体を係止する係止位置に案内し、摺動部材が前方に摺動すると係止部材を係止体を係止しない非係止位置に案内する案内部が形成されていることを特徴とする。
【００１０】
本願請求項２に係る振動感知ロック装置は、上記目的を達成するため、ケースには、転動体を所定位置まで導く傾斜面が形成されていることを特徴とする。
【００１１】
本願請求項３に係る振動感知ロック装置は、上記目的を達成するため、前記摺動部材又は前記ケースには、係止部材の係止位置と非係止位置で摺動部材を位置決めする位置決め手段が設けられていることを特徴とする。
【００１２】
本願請求項４に係る振動感知ロック装置は、上記目的を達成するため、転動体は、摺動部材が前方に摺動している時、摺動部材に案内されて移動不能となっており、摺動部材が後方に摺動している時、摺動部材から外れて移動可能となるように構成されていることを特徴とする。
【００１３】
本願請求項５に係る振動感知ロック装置は、上記目的を達成するため、転動体は、摺動部材が前方に摺動している時、摺動部材に形成された収納凹部に収納されて移動不能となっており、摺動部材が後方に摺動している時、摺動部材の収納凹部から外れて移動可能となるように構成されていることを特徴とする。
【００１４】
本願請求項６に係る振動感知ロック装置は、上記目的を達成するため、摺動部材は、前記転動体を収容する矩形枠状に形成され、前部材と、後部材と、前部材と後部材の右側を連結する右部材と、前部材と後部材の左側を連結する左部材とからなり、右部材と左部材の前部には、前記係止部材が設けられ、後部材には、前記転動体を収納する前記収納凹部が形成されていることを特徴とする。
【００１６】
本願請求項７に係る振動感知ロック装置は、上記目的を達成するため、前記係止体は、扉又は引き出しに取り付けられる基台と、基台にスライド可能に取り付けられた係止アームとからなり、当該係止アームは、前記ロック装置本体のケースに形成された開口の位置に合わせて調節可能であることを特徴とする。
【発明の効果】
【００１７】
本願発明に係る振動感知ロック装置は、収納装置本体に取り付けられるロック装置本体と、扉又は引き出しに取り付けられる係止体とからなる。ロック装置本体はケースを有する。ケースの前部には、扉又は引き出しに取り付けられた前記係止体を挿入する開口が形成されている。ケースの内部には、ケースの開口からケース内に挿入した前記係止体の扉又は引き出しの開閉に伴う動きによって、前後方向に摺動する摺動部材が設けられている。摺動部材には、摺動部材が後方に摺動すると係止体を係止する係止位置に移動し、摺動部材が前方に摺動すると係止体を係止しない非係止位置に移動する係止部材が設けられている。ケースには、非振動時に摺動部材の摺動を阻止しない所定位置で静止しており、振動時に所定位置から移動して摺動部材の前方への摺動を阻止し、閉塞時の扉又は引き出しを開放不能にロックする転動体が設けられている。
【００１８】
振動感知ロック装置は、扉又は引き出しの開放時、摺動部材がケースの前方に摺動しており、これに設けられた係止部材が非係止位置に位置している。扉又は引き出しを閉塞すると、これに設けられた係止体がケースの開口からケース内に挿入され、この係止体によって摺動部材が後方に強制的に摺動させられる。摺動部材が後方に摺動すると係止部材が係止位置に移動して係止体を係止する。非振動（地震）時においては、球体が摺動部材の摺動を阻止しない所定位置で静止しているので、扉又は引き出しを開放することができる。扉又は引き出しを開放すると、これに設けられた係止体がケースの開口から引き出され、この係止体によって摺動部材が前方に摺動する。摺動部材が前方に摺動すると、係止部材が非係止位置に移動して係止体に対する係止が解除され、扉又は引き出しを開放することができる。
【００１９】
振動感知ロック装置は、摺動部材が後方に摺動して係止部材が係止体を係止している状態の時、振動（地震）が発生すると、球体が所定位置から移動して摺動部材の前方への摺動を阻止する。扉又は引き出しは、開放方向に移動しようとしても、これに設けられた係止体が摺動部材の係止部材に係止されており、摺動部材の前方への摺動が阻止されているから、扉又は引き出しの開放が規制される。このように、本願発明に係る振動感知ロック装置は、開閉する扉又は引き出しを備えた収納装置本体に設けられ、閉塞時の扉又は引き出しを振動時に開放不能にロックすることができる。本願発明に係る振動感知ロック装置は、上下方向に移動する係止軸を備えていないので、薄い構造を採用することができ、構造が簡単で壊れ難く、部品点数が少なく、組立が容易で安価に製造することできるという効果がある。
【００２０】
本願発明に係る振動感知ロック装置は、上記効果に加え、ケースに転動体を所定位置まで導く傾斜面が形成されているので、転動体を確実に所定位置へ導くことができ、所定位置で安定して静止させることができるという効果がある。
【００２１】
本願発明に係る振動感知ロック装置は、上記効果に加え、摺動部材又はケースに係止部材の係止位置と非係止位置で摺動部材を位置決めする位置決め手段が設けられているので、扉又は引き出し側に設けられた係止体に対する係止及び係止解除を確実に行わせることができるという効果がある。
【００２２】
本願発明に係る振動感知ロック装置は、転動体は、摺動部材が前方に摺動している時、摺動部材に案内されて移動不能となっており、摺動部材が後方に摺動している時、摺動部材から外れて移動可能となるように構成されている。本願発明に係る振動感知ロック装置は、上記効果に加え、摺動部材が前方に摺動して係止部材が非係止位置にある時には、振動時（地震時）であっても転動体が所定位置から移動できないので、係止部材の非係止位置状態が保持されており、振動時（地震時）に扉又は引き出しを閉塞して扉又は引き出しの係止体を係止部材に係止させて、扉又は引き出しをロックすることができるという効果がある。
【００２３】
本願発明に係る振動感知ロック装置は、ケースの側面には、摺動部材が後方に摺動すると係止部材を係止体を係止する係止位置に案内し、摺動部材が前方に摺動すると係止部材を係止体を係止しない非係止位置に案内する案内部が形成されているので、上記効果に加え、摺動部材が後方に摺動すると確実に係止部材が係止位置に移動し、摺動部材が前方に摺動すると確実に係止部材が非係止位置に移動して、係止及び係止解除を正確に行わせることができるという効果がある。
【００２４】
本願発明に係る振動感知ロック装置は、係止体が扉又は引き出しに取り付けられる基台と、基台にスライド可能に取り付けられた係止アームとで構成されているので、上記効果に加え、係止アームをロック装置本体のケースに形成された開口の位置に合わせて簡単に調節することができるという効果がある。
【図面の簡単な説明】
【００２５】
【図１】本願発明に係る振動感知ロック装置の一実施例を示す全体分解斜視図である。
【図２】図１の振動感知ロック装置の要部斜視図である。
【図３】図１の振動感知装置の取り付け方を示す説明図であり、（ａ）が平面図、（ｂ）が側面図、（ｃ）が正面図である。
【図４】図１の振動感知ロック装置の非振動時の動作を説明する図であって、（ａ）が扉開放時の平面図、（ｂ）が扉閉塞時の平面図、（ｃ）が扉開放動作中の平面図である。
【図５】図１の振動感知ロック装置の非振動時の動作を説明する図であって、（ａ）が扉開放時の側面図、（ｂ）が扉閉塞時の側面図、（ｃ）が扉開放動作中の側面図である。
【図６】図１の振動感知ロック装置の振動時の動作を説明する図であって、（ａ）が平面図、（ｂ）が側面図である。
【図７】図１の振動感知ロック装置の扉開閉動作を説明する説明図である。
【発明を実施するための最良の形態】
【００２６】
振動感知ロック装置１は、開閉する扉（又は引き出し）５を備えた収納装置本体２に設けられ、閉塞時の扉（又は引き出し）５を振動時に開放不能にロックするものであって、収納装置本体２に取り付けられるロック装置本体１０と、扉（又は引き出し）５に取り付けられる係止体１００とからなる。ロック装置本体１０はケース１１を有する。ケース１１の前部には、扉（又は引き出し）５に取り付けられた前記係止体１００を挿入する開口３６が形成されている。
【００２７】
ケース１１の内部には、ケース１１の開口３６からケース１１内に挿入した前記係止体１００の扉（又は引き出し）５の開閉に伴う動きによって、前後方向に摺動する摺動部材７０が設けられている。摺動部材７０には、摺動部材７０が後方に摺動すると係止体１００を係止する係止位置に移動し、摺動部材７０が前方に摺動すると係止体１００を係止しない非係止位置に移動する係止部材９０が設けられている。ケース１１には、非振動時に摺動部材７０の摺動を阻止しない所定位置で静止しており、振動時に所定位置から移動して摺動部材７０の前方への摺動を阻止し、閉塞時の扉（又は引き出し）５を開放不能にロックする転動体３０が設けられている。
【００２８】
振動感知ロック装置１は、扉（又は引き出し）５の開放時、摺動部材７０がケース１１の前方に摺動しており、これに設けられた係止部材９０が非係止位置に位置している。扉（又は引き出し）５を閉塞すると、これに設けられた係止体１００がケース１１の開口３６からケース１１内に挿入され、この係止体１００によって摺動部材７０が後方に強制的に摺動させられる。摺動部材７０が後方に摺動すると係止部材９０が係止位置に移動して係止体１００を係止する。非振動（地震）時においては、球体が摺動部材７０の摺動を阻止しない所定位置で静止しているので、扉（又は引き出し）５を開放することができる。扉（又は引き出し）５を開放すると、これに設けられた係止体１００がケース１１の開口３６から引き出され、この係止体１００によって摺動部材７０が前方に摺動する。摺動部材７０が前方に摺動すると、係止部材９０が非係止位置に移動して係止体１００に対する係止が解除され、扉（又は引き出し）５を開放することができる。
【００２９】
振動感知ロック装置１は、摺動部材７０が後方に摺動して係止部材９０が係止体１００を係止している状態の時、振動（地震）が発生すると、球体が所定位置から移動して摺動部材７０の前方への摺動を阻止する。扉（又は引き出し）５は、開放方向に移動しようとしても、これに設けられた係止体１００が摺動部材７０の係止部材９０に係止されており、摺動部材７０の前方への摺動が阻止されているから、扉（又は引き出し）５の開放が規制される。このように、振動感知ロック装置１は、開閉する扉（又は引き出し）５を備えた収納装置本体２に設けられ、閉塞時の扉（又は引き出し）５を振動時に開放不能にロックすることができる。
【００３０】
振動感知ロック装置１は、ケース１１に、転動体３０を所定位置まで導く傾斜面１４が形成されているので、転動体３０を確実に所定位置へ導くことができ、所定位置で安定して静止させることができる。振動感知ロック装置１は、前記摺動部材７０又は前記ケース１１に係止部材９０の係止位置と非係止位置で摺動部材７０を位置決めする位置決め手段８１，８２が設けられているので、扉（又は引き出し）５側に設けられた係止体１００に対する係止及び係止解除を確実に行わせることができる。
【００３１】
振動感知ロック装置１は、摺動部材７０が前方に摺動している時、転動体３０が摺動部材７０に案内されて移動不能となっており、摺動部材７０が後方に摺動している時、転動体３０が摺動部材７０から外れて移動可能となるように構成されている。振動感知ロック装置１は、摺動部材７０が前方に摺動して係止部材９０が非係止位置にある時には、振動時（地震時）であっても転動体３０が所定位置から移動できないので、係止部材９０の非係止位置状態が保持されており、振動時（地震時）に扉（又は引き出し）５を閉塞して扉（又は引き出し）５の係止体１００を係止部材９０に係止させて、扉（又は引き出し）５をロックすることができる。
【００３２】
振動感知ロック装置１は、摺動部材７０が前方に摺動している時、転動体３０が摺動部材７０に形成された収納凹部７９に収納されて移動不能となり、摺動部材７０が後方に摺動している時、転動体３０が摺動部材７０の収納凹部７９から外れて移動可能となるように構成されていることが望ましい。
【００３３】
また、前記摺動部材７０は、次のように構成しても良い。摺動部材７０は、転動体３０を収容する矩形枠状に形成され、前部材７１と、後部材７２と、前部材７１と後部材７２の右側を連結する右部材７３と、前部材７１と後部材７２の左側を連結する左部材７４とからなる。右部材７３と左部材７４の前部には、前記係止部材９０が設けられている。後部材７２には、前記転動体３０を収納する前記収納凹部７９が形成されている。
【００３４】
振動感知ロック装置１は、ケース１１の側面１７，１８に、摺動部材７０が後方に摺動すると係止部材９０を係止体１００を係止する係止位置に案内し、摺動部材７０が前方に摺動すると係止部材９０を係止体１００を係止しない非係止位置に案内する案内部４２，５５が形成されている。摺動部材７０が後方に摺動すると確実に係止部材９０が係止位置に移動し、摺動部材７０が前方に摺動すると確実に係止部材９０が非係止位置に移動して、係止及び係止解除を正確に行わせることができる。
【００３５】
前記係止体１００は、扉（又は引き出し）５に取り付けられる基台１０１と、基台１０１にスライド可能に取り付けられた係止アーム１０２とで構成されているので、係止アーム１０２をロック装置本体１０のケース１１に形成された開口３６の位置に合わせて簡単に調節することができる。
【００３６】
さらに振動感知ロック装置１について詳細に説明する。図１乃至３に示すように、振動感知ロック装置１は、収納装置本体２に取り付けられるロック装置本体１０と、扉（開き戸）又は引き出し５に取り付けられる係止体１００とからなる。収納装置本体２は、箪笥、キャビネット、机、吊り戸棚等の家具類であって、開閉する扉（又は引き出し）５を備えている。ロック装置本体１０は、ケース１１を有する。ケース１１は、ケース本体１２と蓋体５０とからなる。ケース本体１２は、底壁１３と、底壁１３の前端に形成された前壁１５と、底壁１３の後端に形成された後壁１６と、底壁１３の右端に形成された右壁１７と、底壁１３の左端に形成された左壁１８とで形成されている。
【００３７】
底壁１３の略中間両側には、円筒軸状のボス２１，２２が設けられ、ボス２１，２２に軸穴２１ａ，２２ａが形成されている。ボス２１，２２には、仕切り板２５が設けられている。仕切り板２５は、左右方向に伸び、底壁１３の前後方向を仕切るように形成されている。仕切り板２５の略中央には、後部側に突出する略三角状の案内突起２６が設けられている。案内突起２６の頂部２６ａは、後部側を向いており、頂部２６ａの右側に右案内面２６ｂが形成され、頂部２６ａの左側に左案内面２６ｃが形成されている。
【００３８】
底壁１３の仕切り板２５によって仕切られた後部２７側には、球体３０が配置されている。この後部２７側底壁１３には、球体３０を所定位置に静止させることができるようになっており、この所定位置に向かって傾斜する傾斜面１４が形成されている。さらに、後部２７側底壁１３の周囲には、球体３０を傾斜面１４内に位置させるため、傾斜壁３１が形成されている。底壁１３の仕切り板２５によって仕切られた前部２８側には、右壁１７及び左壁１８と略平行に一対のガイドレール３３，３３が形成されている。
【００３９】
ケース本体１２の前壁１５には、ケース本体１２内外を連通する略矩形状の開口３６が形成されている。図５（ａ）に示すように、開口３６を形成する上縁には、ケース本体１２の内側に向かって下降傾斜する上案内傾斜面３７が形成され、開口３６を形成する下縁には、ケース本体１２の内側に向かって上昇傾斜する下案内傾斜面３８が形成されている。前壁１５、後壁１６、右壁１７及び左壁１８には、蓋体５０を嵌合する段凹部１５ａ，１６ａ，１７ａ，１８ａが形成されている。前部２８側であって、右壁１７及び左壁１８の内側には、凹部４１，４１が切り欠かれており、凹部４１，４１に下案内縁４２，４２が形成されている。下案内縁４２は、底壁１３と略平行に伸びる下平行縁４３と、前壁１５近傍で上昇傾斜する下傾斜縁４５とからなる。
【００４０】
図１に示すように、蓋体５０は、ケース本体１２の段凹部１５ａ，１６ａ，１７ａ，１８ａに嵌合して取り付けられるようになっており、前記ボス２１，２２を挿通する挿通孔５１，５２が形成されている。図３に示すように、蓋体５０は、挿通孔５１，５２に挿通したボス２１，２２の軸穴２１ａ，２２ａにネジ６，６を通し、当該ネジ６，６を収納装置本体２の上壁３に螺着することにより、上壁３に固定されるのと同時にケース本体１２に取り付けられ、ケース１１を構成する。図２に示すように、蓋体５０の下面５０ｂ前部両側には、ケース本体１２の前記凹部４１，４１を塞ぐ案内突起５３が形成されている。案内突起５３の下端には、上案内縁５５が形成されている。上案内縁５５は、前記ケース本体１２の下平行縁４３と略平行の上平行縁５６と、下傾斜縁４５と略平行に上昇傾斜する上傾斜縁５７とからなる。
【００４１】
図２に示すように、蓋体５０の下面５０ｂ後部中央には、ケース本体１２の案内突起２６と対向するガイド突起６０が形成されている。ガイド突起６０は、前部側に突出する略三角状の案内突起６１を有している。案内突起６１の頂部６１ａは、前部側を向いており、頂部６１ａの右側に右案内面６１ｂが形成され、頂部６１ａの左側に左案内面６１ｃが形成されている。
【００４２】
蓋体５０の下面５０ｂであって、ガイド突起６０の右側には右案内突起６３が形成され、ガイド突起６０の左側には左案内突起６２が形成されている。右案内突起６３は、後部側にいくに従って右側に拡がるように傾斜する右傾斜突起６３ｂと、右傾斜突起６３ｂの前端に連接され、右側に伸びる右突出突起６３ａとからなる。また、右案内突起６３の内側に沿って右案内溝６６が形成され、右案内溝６６は、右傾斜突起６３ｂに沿って形成された右傾斜案内溝６６ｂと、右突出突起６３ａに沿って形成された右突出案内溝６６ａとからなる。
【００４３】
左案内突起６２は、後部側にいくに従って左側に拡がるように傾斜する左傾斜突起６２ｂと、左傾斜突起６２ｂの前端に連接され、左側に伸びる左突出突起６２ａとからなる。また、左案内突起６２の内側に沿って左案内溝６５が形成され、左案内溝６５は、左傾斜突起６２ｂに沿って形成された左傾斜案内溝６５ｂと、左突出突起６２ａに沿って形成された左突出案内溝６５ａとからなる。
【００４４】
ケース１１内には、前後方向に摺動可能となる摺動部材７０が設けられている。摺動部材７０は、前記球体３０を収容する矩形枠状に形成され、前部材７１と、後部材７２と、前部材７１と後部材７２の右側を連結する右部材７３と、前部材７１と後部材７２の左側を連結する左部材７４とからなる。右部材７３の前部は、前部材７１から突出し、略Ｕ字状の右軸受け部７５が形成されている。左部材７４の前部は、前部材７１から突出し、略Ｕ字状の左軸受け部７６が形成されている。
【００４５】
摺動部材７０の前部には、係止部材９０が設けられている。係止部材９０は、上板９１と、上板９１の右端に形成された右側板９２と、上板９１の左端に形成された左側板９３と、上板９１の前端に形成された係止縁９４（図５参照）と、上板９１の後端両側に形成された一対の係合溝９７，９７と、右側板９２に突設された右支軸９５と、左側板９３に突設された左支軸９６とからなる。図４に示すように、係止部材９０は、一対の係合溝９７，９７が前部材７１の前部に形成された係合突起７７，７７に摺動可能に係合するようにして、右支軸９５が摺動部材７０の右軸受け部７５に回動可能且つ上下方向に移動可能に取り付けられ、左支軸９６が摺動部材７０の左軸受け部７６に回動可能且つ上下方向に移動可能に取り付けられている。
【００４６】
図４に示すように、摺動部材７０は、仕切り板２５を内側に配置するようして、ケース本体１２内の前後方向に摺動可能に設けられ、右部材７３がケース本体１２の右壁１７に摺接し、左部材７４がケース本体１２の左壁１８に摺接する。前記右支軸９５は、ケース本体１２の右壁１７に形成された下案内縁４２と蓋体５０の右側に形成された上案内縁５５に案内されるようになっている。前記左支軸９６は、ケース本体１２の左壁１８に形成された下案内縁４２と蓋体５０の左側に形成された上案内縁５５に案内されるようになっている。なお、前部材７１の下端には、ケース本体１２に形成された一対のガイドレール３３，３３に案内されるガイド凹部７８，７８が形成されている。
【００４７】
摺動部材７０の後部材７２の右側には右弾性片８１が形成され、後部材７２の左側には左弾性片８２が形成されている。右弾性片８１の先端には、蓋体５０の右案内突起６３に圧接する円軸状の右摺接突起８３が形成されている。左弾性片８２の先端には、蓋体５０の左案内突起６２に圧接する円軸状の左摺接突起８４が形成されている。
【００４８】
摺動部材７０は、図４（ｂ）に示すように、後方に移動した時には、前部材７１と後部材７２の略中間に、球体３０が静止する所定位置がくるように構成されている。後部材７２には、図４（ａ）に示すように、前方に移動した時には、所定位置で静止している球体３０を収納することができる略Ｕ字状の収納凹部７９が形成されている。なお、この収納凹部７９は、摺動部材７０が前後方向に摺動しても、蓋体５０に設けたガイド突起６０に接触しないように、厚みを薄くして形成されている。
【００４９】
図１，３に示すように、係止体１００は、扉（又は引き出し）５にネジ７によって取り付けられる基台１０１と、基台１０１にスライド可能に取り付けられた係止アーム１０２とからなる。基台１０１の略中央部には、上下方向に伸びる一対の案内溝１０３，１０３が形成されている（図４参照）。基台１０１の両側にはネジ穴１０９，１０９が形成されている。
【００５０】
係止アーム１０２は、先端上部に係止突起１０５が形成され、後端に摺動板１０６が形成されている。係止アーム１０２の先端下部には、案内傾斜面１１２が形成されている。また、係止アーム１０２の後部上面には、係止アーム１０２と略平行のガイド突起１１０が形成されている。ガイド突起１１０の先部には傾斜ガイド１１１が設けられている。摺動板１０６には、前記一対の案内溝１０３，１０３に所定の摩擦力で取り付けられる一対の案内突起１０７，１０７が形成されている。係止アーム１０２は、一対の案内突起１０７，１０７が基台１０１の一対の案内溝１０３，１０３に所定の摩擦力で固定して取り付けられ、摩擦力以上の力を加えることにより、基台１０１に対して上下方向に移動させることができる。
【００５１】
上記構成の振動感知ロック装置１は、以下のように使用することができる。図３に示すように、ロック装置本体１０は、吊り戸棚、机、箪笥、キャビネット等の収納装置本体２の上壁３に取り付けられ、係止体１００は、前記収納装置本体２の扉（又は引き出し）５に取り付けられる。ロック装置本体１０は、ケース１１に蓋体５０を嵌合した状態で、ボス２１，２２の軸穴２１ａ，２２ａにネジ６を通し、当該ネジ６，６を収納装置本体２の上壁３に螺着することにより、収納装置本体２の上壁３に固定される。また、係止体１００は、基台１０１のネジ穴１０９，１０９にネジ７，７を挿通してこのネジ７を扉（又は引き出し）５の前壁８に螺着することにより、扉（又は引き出し）５の前壁８に固定される。なお、ケース１１は、開口３６が扉（又は引き出し）５の前壁８側を向くように取り付けられている。係止体１００は、扉（又は引き出し）５の閉塞時、係止アーム１０２が開口３６からケース１１内に挿入できるように取り付けられている。
【００５２】
図４（ａ），図５（ａ）に示すように、扉（又は引き出し）５が開放されている状態において、摺動部材７０は、右弾性片８１の右摺接突起８３が右案内突起６３の右突出突起６３ａに係合し、左弾性片８２の左摺接突起８４が左案内突起６２の左突出突起６２ａに係合しており、前方で位置決めされている。また、この状態の時、係止部材９０は、右支軸９５及び左支軸９６がケース本体１２の左右両側に設けられた下傾斜縁４５と上傾斜縁５７によって上方に移動している。ロック装置本体１０は、非振動時（非地震時）には、球体３０が所定位置（静止位置）で静止しており、球体３０が摺動部材７０の収納凹部７９内に位置している。係る場合、収納凹部７９の開放部７９ａは、仕切り板２５によって塞がれており、振動（地震）が発生しても、球体３０が収納凹部７９内から飛び出ることはない。
【００５３】
図４（ｂ），図５（ｂ）に示すように、扉（又は引き出し）５を閉塞すると、係止体１００がケース１１の開口３６からケース１１内に挿入され、係止アーム１０２の先端が摺動部材７０の前部材７１を押圧して、摺動部材７０を後方に移動させる。摺動部材７０は、右弾性片８１の右摺接突起８３が右突出突起６３ａから外れて右傾斜突起６３ｂに係合し、左弾性片８２の左摺接突起８４が左突出突起６２ａから外れて左傾斜突起６２ｂに係合し、後方で位置決めされる。また、この状態の時、係止部材９０は、右支軸９５及び左支軸９６がケース本体１２の左右両側に設けられた下平行縁４３と上平行線５６によって下方に案内され、下側に移動している。そのため、係止部材９０に設けられた係止縁９４は、係止アーム１０２の係止突起１０５と係止可能となっている。ロック装置本体１０は、非振動時（非地震時）には、球体３０が所定位置（静止位置）で静止しているが、摺動部材７０が後方に移動したため、球体３０が摺動部材７０の収納凹部７９から外れており、収納凹部７９内にガイド突起６０が位置している。
【００５４】
図４（ｃ），図５（ｃ）に示すように、扉（又は引き出し）５を開放すると、係止アーム１０２の係止突起１０５が係止部材９０の係止縁９４を係止して、係止部材９０を前方に移動させ、係止部材９０を取り付けている摺動部材７０も前方に移動させる。摺動部材７０は、右弾性片８１の右摺接突起８３が右傾斜突起６３ｂから右突出突起６３ａに係合し、左弾性片８２の左摺接突起８４が左傾斜突起６２ｂから左突出突起６２ａに係合していき、図４（ａ），図５（ａ）に示すように、前方で位置決めされる。また、摺動部材７０は、前方に移動すると、係止部材９０の右支軸９５及び左支軸９６がケース本体１２の左右両側に設けられた下平行縁４３と上平行線５６から下傾斜縁４５と上傾斜縁５７に摺動し、上方に移動する。そのため、係止部材９０に設けられた係止縁９４が、係止アーム１０２の係止突起１０５から外れ、扉（又は引き出し）５を開放することができる。ロック装置本体１０は、非振動時（非地震時）には、球体３０が所定位置（静止位置）で静止しているので、扉（又は引き出し）５の開閉をスムーズに行うことができる。
【００５５】
図４（ｂ），図５（ｂ）に示すように、扉（又は引き出し）５を閉塞した状態の時は、所定位置（静止位置）にある球体３０が転動可能ではあるが静止している。この時、振動（地震）が発生すると、図６に示すように、球体３０が静止位置から転動する。扉（又は引き出し）５が振動（地震）によって開放方向に移動しようとすると、仕切り板２５と摺動部材７０の後部材７２間に球体３０が介在するので、摺動部材７０が前方（開放方向）に移動することができない。係止部材９０に設けられた係止縁９４は、係止アーム１０２の係止突起１０５と係止した状態のままなので、扉（又は引き出し）５は開放されることがない。このように、振動感知ロック装置１は、扉（又は引き出し）５の閉塞時に、振動（地震）が発生すると、球体３０が所定位置から移動して、摺動部材７０の前方（扉５の開放方向）への移動を阻止し、扉（又は引き出し）５の開放を規制する。なお、図４（ａ），図５（ａ）に示すように、扉（又は引き出し）５が開放されている状態において、振動感知ロック装置１は、球体３０が摺動部材７０の収納凹部７９内に位置しているので、振動（地震）が発生しても、球体３０が収納凹部７９内から飛び出ることがなく、そのため、振動（地震）時にあっても扉（又は引き出し）５を閉塞することができる。
【００５６】
上記してきた球体３０の所定位置（静止位置）は、特に限定されないが、仕切り板２５に形成された案内突起２６の頂部２６ａと、ガイド突起６０に形成された案内突起６１の頂部６１ａを結ぶ直線上の略中央に設けておくことが望ましい。図４（ｂ）に示すように、扉（又は引き出し）５を閉塞した状態の時に、振動（地震）が発生すると、図６に示すように、球体３０が静止位置から転動する。左右方向の振動（地震）の時には、球体３０は左右方向に転動して仕切り板２５と摺動部材７０の後部材７２間に直ちに介在し、扉（又は引き出し）５の開放方向への移動を阻止する。前後方向の振動（地震）の時には、球体３０は前後方向に転動して仕切り板２５の案内突起２６の頂部２６ａ、又はガイド突起６０の案内突起６１の頂部６１ａに当接する。球体３０は、仕切り板２５の案内突起２６の頂部２６ａに当接した場合には、左案内面２６ｃ又は右案内面２６ｂによって左右に振り分けられる。また、球体３０は、ガイド突起６０の案内突起６１の頂部６１ａに当接した場合には、左案内面６１ｃ又は右案内面６１ｂによって左右に振り分けられる。左右に振り分けられた球体３０は、仕切り板２５と摺動部材７０の後部材７２間に介在するので、扉（又は引き出し）５の開放方向への移動を阻止する。このように、球体３０の所定位置（静止位置）は、仕切り板２５の案内突起２６の頂部２６ａと、ガイド突起６０の案内突起６１の頂部６１ａを結ぶ直線上の略中央に設けることが望ましく、振動（地震）時に球体３０を迅速に左右に転動させ、扉（又は引き出し）５の開放を確実に阻止することができる。
【００５７】
図７（ａ）に示すように、振動感知ロック装置１は、係止アーム１０２がロック装置本体１０の開口３６より上方に位置する場合は、係止アーム１０２の先端が開口３６の上部に形成された上案内傾斜面３７により下方に押し下げられ、さらに、傾斜ガイド１１１，ガイド突起１１０が上案内傾斜面３７により順番に下方に押し下げられ、図７（ｃ）に示すように、摺動板１０６が下方に自動調節されて、係止アーム１０２がロック装置本体１０内に挿入される。また、図７（ｂ）に示すように、振動感知ロック装置１は、係止アーム１０２がロック装置本体１０の開口３６より下方に位置する場合は、係止アーム１０２の先端が開口３６の下部に形成された下案内傾斜面３８により上方に押し上げられ、さらに、案内傾斜面１１２が下案内傾斜面３８により上方に押し下げられ、図７（ｃ）に示すように、摺動板１０６が上方に自動調節されて、係止アーム１０２がロック装置本体１０内に挿入される。このように、振動感知ロック装置１は、ロック装置本体１０に係止される係止アーム１０２の高さ方向の位置を自動で調節することができ、収納装置本体２に対する扉又は引き出し５の高さ方向の位置がずれたとしても簡単に対応することができる。
【産業上の利用可能性】
【００５８】
本発明に係る振動感知ロック装置は、地震時にロックして扉又は引き出しの開放を阻止する振動感知ロック装置に利用可能である。
【符号の説明】
【００５９】
１  振動感知ロック装置
２  収納装置本体
３  上壁
５  扉（又は引き出し）
６  ネジ
７  ネジ
８  前壁
１０  ロック装置本体
１１  ケース
１２  ケース本体
１３  底壁
１４  傾斜面
１５  前壁
１５ａ  段凹部
１６  後壁
１６ａ  段凹部
１７  右壁
１７ａ  段凹部
１８  左壁
１８ａ  段凹部
２１  ボス
２１ａ  ネジ穴
２２  ボス
２２ａ  ネジ穴
２５  仕切り板
２６  案内突起
２６ａ  頂部
２６ｂ  右案内面
２６ｃ  左案内面
２７  後部
２８  前部
３０  球体（転動体）
３１  傾斜壁
３３  ガイドレール
３６  開口
３７  上案内傾斜面
３８  下案内傾斜面
４１  凹部
４２  下案内縁（案内部）
４３  下平行縁
４５  下傾斜縁
５０  蓋体
５０ｂ  下面
５１  挿通孔
５２  挿通孔
５３  案内突起
５５  上案内縁（案内部）
５６  上平行縁
５７  上傾斜縁
６０  ガイド突起
６１  案内突起
６１ａ  頂部
６１ｂ  右案内面
６１ｃ  左案内面
６２  左案内突起
６２ａ  左突出突起
６２ｂ  左傾斜突起
６３  右案内突起
６３ａ  右突出突起
６３ｂ  右傾斜突起
６５  左案内溝
６５ａ  左突出案内溝
６５ｂ  左傾斜案内溝
６６  右案内溝
６６ａ  右突出案内溝
６６ｂ  右傾斜案内溝
７０  摺動部材
７１  前部材
７２  後部材
７３  右部材
７４  左部材
７５  右軸受け部
７６  左軸受け部
７７  係合突起
７８  ガイド凹部
７９  収納凹部
８１  右弾性片（位置決め手段）
８２  左弾性片（位置決め手段）
８３  右摺接突起
８４  左摺接突起
９０  係止部材
９１  上板
９２  右側板
９３  左側板
９４  係止縁
９５  右支軸
９６  左支軸
９７  係合溝
１００  係止体
１０１  基台
１０２  係止アーム
１０３  案内溝
１０５  係止突起
１０６  摺動板
１０７  案内突起
１０９  ネジ穴
１１０  ガイド突起
１１１  傾斜ガイド
１１２  案内傾斜面
【図１】
0005555114.tif 000002
【図２】
0005555114.tif 000003
【図３】
0005555114.tif 000004
【図４】
0005555114.tif 000005
【図５】
0005555114.tif 000006
【図６】
0005555114.tif 000007
【図７】
0005555114.tif 000008